(57)【要約】【課題】部品点数が少なく構造が簡単で低コストであり、しかも可動部が少なく故障し難い物品保持装置を提供する。【解決手段】サイズの異なる携帯電話６ａ，６ｂを選択的に保持可能とする物品保持装置１であって、開口部４ｆと、該開口部４ｆから奥側に凹状をなすように湾曲する保持面５とを有する保持片３を備え、前記保持面５と携帯電話６ａ，６ｂの上辺部６ｃ，６ｃ′及び下辺部６ｄ，６ｄ  ′  との摩擦力により携帯電話６ａ，６ｂを保持する。【選択図】図２
2014088917.tif 000002
【特許請求の範囲】
【請求項１】
サイズの異なる複数の物品を選択的に保持可能とする物品保持装置であって、
開口部と、該開口部から奥側に凹状をなすように湾曲する保持面とを有する保持片を備え、
前記保持面と物品の上辺部及び下辺部との摩擦力により物品を保持する
ことを特徴とする物品保持装置。
【発明の詳細な説明】
【技術分野】
【０００１】
本発明は、例えばサイズの異なる携帯電話等の物品を保持できるように構成された物品保持装置に関する。
【背景技術】
【０００２】
サイズの異なる携帯電話等の物品を保持可能とした物品保持装置として、従来例えば特許文献１に記載されたものがある。この従来装置は、物品の背面に当接する背面部から左，右一対のアーム部を前方に延設し、該左，右のアーム部を保持対象物品のサイズに応じて拡縮可能に構成されている。
【先行技術文献】
【特許文献】
【０００３】
【特許文献１】特開２００８−２０２７７１号公報
【発明の概要】
【発明が解決しようとする課題】
【０００４】
前記従来の物品保持装置は、保持対象物品のサイズに応じて左，右のアーム部をスライドさせるように構成されているので、構成部品数が多く構造が複雑であり、コスト高になり易いという問題がある。また可動部が多く、故障の原因になり易いという問題もある。
【０００５】
本発明は、前記従来の状況に鑑みてなされたもので、部品点数が少なく構造が簡単で低コストであり、しかも可動部が少ないため故障し難い物品保持装置を提供することを課題としている。
【課題を解決するための手段】
【０００６】
本発明は、サイズの異なる複数の物品を選択的に保持可能とする物品保持装置であって、開口部と、該開口部から奥側に凹状をなすように湾曲する保持面とを有する保持片を備え、前記保持面と物品の上辺部及び下辺部との摩擦力により物品を保持することを特徴としている。
【発明の効果】
【０００７】
本発明に係る物品保持装置により物品を保持する場合は、物品を開口部から凹状に湾曲する保持面内に挿入し、該物品の上辺部，下辺部を保持面の上部，下部に当接させる。これにより物品の上辺部及び下辺部と保持面との間に発生する摩擦力で物品を保持できる。この場合、保持面は開口部から奥側に凹状をなすように湾曲しているので、物品のサイズ、つまり上辺部から下辺部までの寸法に応じて保持面との当接位置を適宜選択することにより、サイズの異なる複数の物品を保持できる。
【０００８】
このように本発明に係る物品保持装置は、開口部と、凹状に湾曲する保持面とを有する保持片だけで構成されているので、部品点数が少なく構造が簡単で低コストであり、しかも可動部が少ないため故障が発生するおそれがほとんどない。
【図面の簡単な説明】
【０００９】
【図１】本発明の実施例１に係る物品保持装置の正面図である。
【図２】前記物品保持装置の断面側面図（図１のII-II線断面図）である。
【図３】前記物品保持装置の平面図である。
【図４】前記物品保持装置の正面斜視図である。
【発明を実施するための形態】
【００１０】
以下、本発明の実施の形態を添付図面に基づいて説明する。
【実施例１】
【００１１】
図１ないし図４は、本発明の実施例１による物品保持装置を説明するための図である。
【００１２】
図において、１は自動車のインストルメントパネル２に装着された物品保持装置であり、該物品保持装置１は、保持片３で構成されている。この保持片３は、基板４と、該基板４の内面に設けられた保持面５とを備えている。
【００１３】
前記基板４は、樹脂製の板材からなり、上，下開口縁部４ａ，４ｂからなる開口部４ｆを有する横断面略Ｃ字形状をなしている。従って、該基板４は、全体として前記上，下開口縁部４ａ，４ｂから奥側に凹状をなすように湾曲している。
【００１４】
また前記基板４の上開口縁部４ａの近傍には、比較的小さい曲率半径を有する上基部４ｃが形成されている。また前記基板４の下半部は、前記下開口縁部４ｂに近づくほど曲率半径が徐々に大きくなる下基部４ｄとなっている。
【００１５】
前記保持面５は、ウレタンゴム等の弾性力を有し、摩擦係数が大きい材料で構成され、前記基板４の内面形状に沿う形状に形成されている。従ってこの保持面５も前記開口部４ｆから奥側に凹状をなすように湾曲しており、また前記基板４の上基部４ｃ，下基部４ｄに沿う形状の上保持部５ｃ，下保持部５ｄを有する。さらにまた前記下保持部５ｄには、物品の下辺部を係止させる凹凸部５ｅが形成されている。
【００１６】
なお、前記保持面５は、少なくとも上保持部５ｃと下保持部５ｄをウレタンゴム等の材料で構成すればよく、上保持部５ｃと下保持部５ｄとの間の部分、つまり物品の保持に関わらない部分は、他の材料で構成しても良く、あるいはなくしても良い。
【００１７】
そして前記基板４の背面の略中央部には球状の突片４ｅが一体形成されている。この突片４ｅは前記インストルメントパネル２に凹設された支持部２ａに所要の摩擦力をもって嵌合支持されており、該支持部２ａと突片４ｅはいわゆるボールジョイント構造となっている。これにより前記保持片３は、前記突片４ｂを中心にａ方向又はｂ方向に回動させることにより、その姿勢を自由に選択可能となっている。
【００１８】
本実施例１に係る物品保持装置１により物品、例えばサイズの異なる携帯電話６ａ,６ｂを保持する場合を説明する。
【００１９】
サイズの小さい携帯電話６ａを前記開口部４ｆから凹状の保持面５内に挿入し、該携帯電話６ａの上辺部６ｃを保持面５の上保持部５ｃに当接させ、下辺部６ｄを下保持部５ｄの奥側部分に該部分を弾性変形させつつ当接させる。すると携帯電話６ａの上辺部６ｃ及び下辺部６ｄと保持面５の上保持部５ｃ及び下保持部５ｄとの間に摩擦力が発生し、該摩擦力で携帯電話６ａを保持できる。この場合、保持片３を、突片４ｅを中心にｂ方向に回動させることにより、携帯電話６ａを、その画面が見易い角度にすることができる。
【００２０】
またサイズの大きい携帯電話６ｂの場合、同様に上辺部６ｃ′を上保持部５ｃに、下辺部６ｄ′を下保持部５ｄの手前側部分にそれぞれ当接させることにより該携帯電話６ｂを保持できる。
【００２１】
このように本実施例装置１の保持面５は、開口部４ｆから奥側に凹状をなすように湾曲しているので、携帯電話６ａ，６ｂのサイズ、つまりが上辺部６ｃ，６ｃ′から下辺部６ｄ，６ｄ′までの寸法に応じて保持面５との当接位置を適宜選択することにより、サイズの異なる複数の携帯電話６ａ，６ｂを保持できる。
【００２２】
本実施例装置１は、開口部４ｆと、湾曲状の保持面５とを有する保持片３だけで構成されているので、部品点数が少なく構造が簡単で低コストであり、しかも可動部が突片４ｅ部分のみであるため故障が発生するおそれがほとんどない。
【００２３】
なお、前記実施例１では、保持片３を自動車のインストルメントパネル２に装着した場合を説明したが、本発明に係る物品保持装置の適用範囲は、自動車に限定されるものではなく、例えば住宅の居室等にも装着できる。この場合、図２に二点鎖線で示すように、突片４ｅ，支持部２ａの代わりに、支持台７を設け、該支持台７により保持片３を前記ａ，ｂ方向に回動可能に支持するようにしても良い。図中、７ａはガイド溝、４ｅ′はガイド溝７ａにスライド可能に係止する突片である。
【００２４】
また前記実施例１では携帯電話を保持する場合を説明したが、本発明に係る物品保持装置は、勿論携帯電話以外の物品の保持にも採用できる。
【符号の説明】
【００２５】
１  物品保持装置
３  保持片
４ｆ  開口部
５  保持面
６ａ，６ｂ  サイズの異なる携帯電話（物品）
６ｃ，６ｃ′  上辺部
６ｄ，６ｄ′  下辺部
【図１】
2014088917.tif 000003
【図２】
2014088917.tif 000004
【図３】
2014088917.tif 000005
【図４】
2014088917.tif 000006